(57)【要約】【課題】回診や放射線撮影などの場面において、モニタ上に表示された患者の個人情報などの漏洩を防止する。【解決手段】所定の表示情報を表示するとともに、特定の観察者を予め設定し、その設定した特定の観察者以外の観察者が表示情報を観察可能な範囲に存在することを検出した際、表示情報の表示を制限する。【選択図】図４
2012042716.tif 000002
【特許請求の範囲】
【請求項１】
所定の表示情報を表示するとともに、特定の観察者を予め設定し、
該設定した特定の観察者以外の観察者が前記表示情報を観察可能な範囲に存在することを検出した際、前記表示情報の表示を制限することを特徴とする表示方法。
【請求項２】
所定の表示情報を表示する表示部と、
特定の観察者が予め設定された特定観察者設定部と、
該特定観察者設定部に設定された特定の観察者以外の観察者が前記表示部に表示された表示情報を観察可能な範囲に存在することを検出する覗き見検出部と、
該覗き見検出部によって前記特定の観察者以外の観察者の存在が検出された際、前記表示部における前記表示情報の表示を制限する表示制御部とを備えたことを特徴とする表示装置。
【請求項３】
前記特定観察者設定部が、前記特定の観察者の顔情報が予め設定されたものであり、
前記覗き見検出部が、前記特定の観察者の顔情報以外の顔情報を検出することによって、前記特定の観察者以外の観察者が前記表示部に表示された表示情報を観察可能な範囲に存在することを検出するものであることを特徴とする請求項２記載の表示装置。
【請求項４】
前記表示制御部が、前記覗き見検出部によって前記特定の観察者以外の観察者の存在が検出された際、前記表示部に表示された表示情報のうちの一部の表示情報の表示のみを制限するものであることを特徴とする請求項２または３記載の表示装置。
【請求項５】
前記表示制御部によって表示が制限される一部の表示情報が非表示情報として予め設定された非表示情報設定部を備えたことを特徴とする請求項４記載の表示装置。
【請求項６】
前記非表示表示設定部に設定された非表示情報の変更を受け付ける非表示情報変更受付部を備えたことを特徴とする請求項５記載の表示装置。
【請求項７】
前記表示部に表示される表示情報が、患者の医療検査情報であることを特徴とする請求項２から６いずれか１項記載の表示装置。
【請求項８】
前記表示部に表示される表示情報が、患者の放射線撮影の検査情報であることを特徴とする請求項７項記載の表示装置。
【請求項９】
前記表示部に表示される表示情報が、患者の放射線撮影の検査情報であって、
前記表示制御部が、前記放射線撮影の検査情報のうちの前記放射線撮影に関する情報は表示したままとするものであることを特徴とする請求項４から６いずれか１項記載の表示装置。
【請求項１０】
前記表示制御部が、前記放射線撮影の検査情報のうちの前記放射線撮影に関する情報のみを表示したままとするものであることを特徴とする請求項９記載の表示装置。
【請求項１１】
前記放射線撮影に関する情報が、前記放射線撮影の放射線画像または前記放射線撮影の撮影条件を含むものであることを特徴とする請求項９または１０記載の表示装置。
【請求項１２】
前記表示部に表示される表示情報が、患者の医療検査情報であって、
前記表示制御部が、前記患者の医療検査情報のうち、少なくとも前記患者の個人情報の表示を制限するものであることを特徴とする請求項４から６、９および１１いずれか１項記載の表示装置。
【請求項１３】
前記覗き見検出部が、前記表示部の周辺を撮影する撮影部と、該撮影部によって撮影された画像情報から顔情報を認識する顔情報認識部とを備えたことを特徴とする請求項３記載の表示装置。
【発明の詳細な説明】
【技術分野】
【０００１】
本発明は、所定の表示情報の表示方法および装置に関するものである。
【背景技術】
【０００２】
従来、病院において回診などを行う際、たとえば放射線撮影情報、超音波画像撮影情報心電図などの患者の診断に要する検査情報をモニタ上に表示させ、医者が検査情報を見ながら患者に対して説明などを行う場面がある。
【０００３】
このような場面において、モニタに表示される検査情報の中には患者の個人情報も含まれており、このような個人情報の取り扱いには十分配慮する必要がある。
【０００４】
また、上述したような回診の場面だけでなく、たとえば、放射線画像を撮影する場面においても、放射線画像を撮影するために必要な撮影条件や患者のポジショニングを確認するためのポジショニング確認用の放射線画像とともに、患者の個人情報をモニタ上に表示することがあり、このような場合においても個人情報の取り扱いには十分配慮する必要がある。
【先行技術文献】
【特許文献】
【０００５】
【特許文献１】特開２００８−１４６４４９号公報
【特許文献２】特開平１１−１６４８２３号公報
【発明の概要】
【発明が解決しようとする課題】
【０００６】
しかしながら、上述したような回診の場面においては、医療に従事する者以外の人物、すわなち、診断対象の患者以外の同室の患者や、見舞客、介護士なども患者付近に存在する可能性があり、そのような場合にはモニタに表示された患者の個人情報を覗き見される可能性がある。
【０００７】
また、放射線画像の撮影の場面においても、医師や放射線技師以外の人物がモニタ付近を通る場合があり、患者の個人情報を覗き見される可能性がある。
【０００８】
ここで、たとえば、特許文献１には、所定の装置にログイン中の操作者が、その装置近傍に存在しなくなったことを検出して装置をサスペンド状態へ移行する方法が提案されている。そして、たとえば、この方法を上述したモニタに適用した場合を考えると、医療従事者などがモニタの前の存在しないときには、モニタを非表示にするような方法が考えられるが、この方法では、モニタの前に医療従事者などが存在する場合には必ずモニタ上に検査情報が表示されることになるので、医療従事者がモニタを観察しているときに覗き見をされた場合には、やはり個人情報が見られてしまう。
【０００９】
本発明は、上記の事情に鑑み、たとえば、回診や放射線撮影などの場面において、モニタ上に表示された患者の個人情報などを覗き見されることのない表示方法および装置を提供することを目的とする。
【課題を解決するための手段】
【００１０】
本発明の表示方法は、所定の表示情報を表示するとともに、特定の観察者を予め設定し、その設定した特定の観察者以外の観察者が表示情報を観察可能な範囲に存在することを検出した際、表示情報の表示を制限することを特徴とする。
【００１１】
本発明の表示装置は、所定の表示情報を表示する表示部と、特定の観察者が予め設定された特定観察者設定部と、特定観察者設定部に設定された特定の観察者以外の観察者が表示部に表示された表示情報を観察可能な範囲に存在することを検出する覗き見検出部と、覗き見検出部によって特定の観察者以外の観察者の存在が検出された際、表示部における表示情報の表示を制限する表示制御部とを備えたことを特徴とする。
【００１２】
また、上記本発明の表示装置は、特定観察者設定部を、特定の観察者の顔情報が予め設定されたものであり、覗き見検出部を、特定の観察者の顔情報以外の顔情報を検出することによって、特定の観察者以外の観察者が表示部に表示された表示情報を観察可能な範囲に存在することを検出するものとできる。
【００１３】
また、表示制御部を、覗き見検出部によって特定の観察者以外の観察者の存在が検出された際、表示部に表示された表示情報のうちの一部の表示情報の表示のみを制限するものとできる。
【００１４】
また、表示制御部によって表示が制限される一部の表示情報が非表示情報として予め設定された非表示情報設定部を設けることができる。
【００１５】
また、非表示表示設定部に設定された非表示情報の変更を受け付ける非表示情報変更受付部を設けることができる。
【００１６】
また、表示部に表示される表示情報を、患者の医療検査情報とできる。
【００１７】
また、表示部に表示される表示情報を、患者の放射線撮影の検査情報とできる。
【００１８】
また、表示部に表示される表示情報を、患者の放射線撮影の検査情報とし、表示制御部を、放射線撮影の検査情報のうちの放射線撮影に関する情報は表示したままとするものとできる。
【００１９】
また、表示制御部を、放射線撮影の検査情報のうちの放射線撮影に関する情報のみを表示したままとするものとできる。
【００２０】
また、放射線撮影に関する情報を、放射線撮影の放射線画像または放射線撮影の撮影条件を含むものとできる。
【００２１】
また、表示部に表示される表示情報を、患者の医療検査情報とし、表示制御部を、患者の医療検査情報のうち、少なくとも患者の個人情報の表示を制限するものとできる。
【００２２】
また、覗き見検出部を、表示部の周辺を撮影する撮影部と、撮影部によって撮影された画像情報から顔情報を認識する顔情報認識部とを備えたものとできる。
【発明の効果】
【００２３】
本発明の表示方法および装置によれば、所定の表示情報を表示するとともに、特定の観察者を予め設定し、その設定した特定の観察者以外の観察者が表示情報を観察可能な範囲に存在することを検出した際、表示情報の表示を制限するようにしたので、たとえば、回診や放射線撮影などの場面において、医療従事者以外の観察者が表示情報を観察可能な範囲に存在することを検出した際、患者の個人情報などの情報の表示を制限することができ、患者の個人情報の漏洩を防止することができる。
【００２４】
また、たとえば、患者の個人情報のみの表示を制限するようにし、その他の検査情報の表示は維持したままの状態とすることができるので、たとえば、診断に必要な情報や放射線の撮影を行う際に必要な情報などの表示は維持することによって、医療従事者の作業効率を落とさないようにすることができる。
【図面の簡単な説明】
【００２５】
【図１】本発明の表示装置の一実施形態を用いた放射線検査情報表示装置の外観を示す斜視図
【図２】図１に示す放射線検査情報表示装置本体の内部構成を示すブロック図
【図３】図１に示すモニタを上方から見た図
【図４】本発明の表示装置の一実施形態を用いた放射線検査情報表示装置の作用を説明するためのフローチャート
【図５】モニタに表示される放射線検査情報の一例を示す図
【図６】実際の回診撮影の状況の一例を表す図
【図７】患者の個人情報が表示制限された場合の表示の一例を示す図
【図８】患者の個人情報が表示制限された場合の表示のその他の例を示す図
【発明を実施するための形態】
【００２６】
以下、図面を参照して本発明の表示装置の一実施形態を用いた放射線検査情報表示装置について説明する。図１は、本実施形態の放射線検査情報表示装置１の外観を示す斜視図である。
【００２７】
本実施形態の放射線検査情報表示装置１は、図１に示すように、放射線検査情報を表示するモニタ１０と、モニタ１０の上部に設けられた監視カメラ１１と、装置全体を制御する制御部が内蔵されるとともに、所定の情報を入力可能なキーボードを備えた装置本体１２とを備えている。
【００２８】
図２に、放射線検査情報表示装置１の装置本体１２の内部構成を示すブロック図を示す。装置本体１２は、図２に示すように、装置全体を制御するＣＰＵなどを備えた制御部２０と、患者の放射線検査情報が予め保存された放射線検査情報保存部３０とを備えている。
【００２９】
制御部２０は、モニタ１０における放射線検査情報の表示を制御する表示制御部２１と、医師や看護師などの医療従事者やその他の放射線検査情報表示装置１の使用を許可された者（以下、操作者という）以外の観察者がモニタ１０に表示された表示情報を観察可能な範囲に存在することを検出する覗き見検出部２２と、覗き見検出部２２によって覗き見が検出された際に表示が制限される非表示検査情報が予め設定された非表示検査情報設定部２３とを備えている。
【００３０】
表示制御部２１は、通常はモニタ１０に患者の放射線検査情報を全て表示させるものであるが、覗き見検出部２２によって操作者以外の観察者の存在が検出された際、すなわち覗き見が検出された際には、非表示検査情報設定部２３に予め設定された、放射線検査情報の一部である非表示検査情報の表示を制限するものである。
【００３１】
覗き見検出部２２は、操作者の顔情報が予め設定登録された特定観察者設定部２４と、監視カメラ１１によって撮影された撮影画像が入力され、その撮影画像から顔情報を認識する顔情報認識部２５とを備えている。
【００３２】
特定観察者設定部２４に設定登録される顔情報は、所定の記録媒体や無線ＬＡＮなどのネットワークを介して接続される外部装置などから入力されて予め設定登録されるものである。特定観察者設定部２４に設定登録される顔情報は、必要に応じて随時変更することが可能である。
【００３３】
顔情報認識部２５は、監視カメラ１１によって撮影された撮影画像を取得し、その撮影画像内における顔情報を認識するものである。なお、撮影画像内における顔情報を認識する方法については、既に公知であるので詳細な説明は省略する。
【００３４】
そして、覗き見検出部２２は、顔情報認識部２５において認識された顔情報と特定観察者設定部２４に設定登録されている操作者の顔情報とを比較し、顔情報認識部２５において認識された顔情報の中に操作者以外の顔情報が含まれる場合には、その旨を示す信号を表示制御部２１に出力するものである。表示制御部２１は、上記信号の入力に応じて、上述した表示の制限を行うものである。
【００３５】
非表示検査情報設定部２３には、放射線検査情報のうちの一部の情報であって、操作者以外の観察者には見られたくない情報が非表示検査情報として予め設定されたものである。
【００３６】
本実施形態においては、放射線検査情報として、放射線画像および患者の個人情報を表示するものであり、そのうちの患者の個人情報が予め非表示検査情報として設定されている。患者の個人情報としては、たとえば、患者の年齢、性別、病名、病歴、患者に使用されている薬剤名、患者のアレルギー情報、妊娠情報、患者の顔写真や皮膚病などの患部の写真などがある。
【００３７】
なお、非表示検査情報設定部２３に設定される非表示検査情報は、装置本体１２のキーボードなどの入力手段を用いて設定されるものであり、操作者によって随時変更可能なものである。
【００３８】
放射線検査情報保存部３０は、複数の患者の放射線検査情報が予め設定されたものである。そして、放射線検査情報保存部３０に保存された放射線検査情報は、表示制御部２１によって読み出される。表示制御部２１は、装置本体１２のキーボードなどの入力手段を用いて医師によって入力された患者情報に基づいて、その患者に対応する放射線検査情報を放射線検査情報保存部３０から読み出すものである。
【００３９】
監視カメラ１１は、モニタ１０の表示の視野角度より広い撮影範囲の撮影を行うものである。図３はモニタ１０を上方から見た図であり、図３に示す点線の矢印は、モニタ１０の視野角度を示しており、図２に示す破線の矢印は、監視カメラ１１の撮影範囲を示している。
【００４０】
そして、監視カメラ１１によって撮影された撮影画像は、制御部２０の顔情報認識部２５に入力されるものである。監視カメラ１１としては、たとえばＣＣＤセンサーやＣＭＯＳセンサーなどを備え、リアルタイムな撮影が可能なものを用いるようにすればよい。
【００４１】
次に、本実施形態の放射線検査情報表示装置の作用について、図４に示すフローチャートを参照しながら説明する。
【００４２】
まず、所定の記録媒体や無線ＬＡＮなどのネットワークを介して接続される外部装置などから操作者の顔情報が本装置に入力され、特定観察者設定部２４に操作者の顔情報が予め設定される（Ｓ１０）。なお、この操作者の設定登録については、たとえば、ＩＤカードやパスワード入力や、その他生体認証などの認証作業が行われた場合にのみ行えるようにすることが望ましい。また、操作者の登録は、操作者となり得る者を事前に一括登録しても良いし、その日の作業内容に合わせて必要な者を随時変更して登録するようにしてもよい。
【００４３】
次に、たとえば、操作者が回診時や放射線撮影時などにおいて本装置を所定位置に設定し、操作者によって装置本体１２のキーボードなどを用いて診断対象の患者情報が入力される（Ｓ１２）。入力された患者情報は、表示制御部２１に入力され、表示制御部２１は、入力された患者情報に対応する放射線検査情報を放射線検査情報保存部３０から読み出して取得する（Ｓ１４）。
【００４４】
そして、表示制御部２１は、入力された放射線検査情報に基づいてモニタ１０に制御信号を出力し、モニタ１０に放射線検査情報を全て表示させる（Ｓ１６）。
【００４５】
図５は、本実施形態においてモニタ１０に表示される放射線検査情報の一例を示すものである。本実施形態においては、図５に示すように、患者の放射線画像とその放射線画像を撮影した際の撮影条件とを表示するウィンドウＷ１と患者の個人情報を表示するＷ２とが表示される。本実施形態における撮影条件とは、放射線技師が放射線の撮影において必要な条件であり、たとえば、撮影手技や、患者の撮影部位に対して適切な線量の放射線を照射するための管電圧、管電流、照射時間などの条件などがある。なお、撮影条件としてはこれらに限らず、放射線の撮影を行う際に必要な情報であれば如何なる条件を含めるようにしてもよい。
【００４６】
また、放射線画像としては、本撮影の放射線画像に限らず、放射線撮影を行う際に必要なポジショニング確認用の放射線画像を表示するようにしてもよい。ポジショニング確認用画像とは、患者のポジショニングが正しいか否かを確認するために生成される放射線画像であり、たとえば、本撮影の放射線画像よりも低解像度にして生成されるものである。
【００４７】
ここで、図６に、実際に回診撮影を行う際の状況を表す図を示す。回診撮影の際には、図６に示すように、ベッドに横たわった患者５１の近傍に放射線撮影装置４１と放射線検査情報表示装置１とが設置される。
【００４８】
そして、図６に示すような設置状態において、図５に示したような放射線検査情報が放射線検査情報表示装置１において表示され、操作者５０が放射線検査情報の撮影条件などを確認した後、実際に放射線画像の撮影が行われ、患者５１とベッドの間に設置された放射線検出カセッテ４０によって放射線画像が検出され、放射線検出カセッテ４０から無線通信信号として出力された放射線画像信号が、放射線検査情報表示装置１に受信されて、放射線検査情報表示装置１においてポジショニング確認用画像や本撮影の放射線画像などが表示される。
【００４９】
そして、上述したような撮影を行っている最中においては、操作者は、放射線検査情報表示装置１と患者との間を行ったり来たりする必要があり、そのとき放射線検査情報表示装置１の画面の前からいなくなることがある。
【００５０】
このような場合、図６に示すように、たとえば、隣の患者５２を見舞いにきた見舞客５３やその他の医療従事者以外の者などが放射線検査情報表示装置１の近くを通りすぎる可能性があり、このときに放射線検査情報表示装置１に表示された患者５１の放射線検査情報が覗き見されてしまうおそれがある。
【００５１】
そこで、このような覗き見によって患者の個人情報が漏洩しないように、放射線検査情報表示装置１においては、以下のような動作が行われる。
【００５２】
具体的には、このとき監視カメラ１１によって放射線検査情報表示装置１の近傍の範囲の撮影が行われ、その撮影画像が顔情報認識部２５に入力される（Ｓ１８）。そして、顔情報認識部２５において、撮影画像中における顔情報が認識され、覗き見検出部２２は、顔情報認識部２５によって認識された顔情報と特定観察者設定部２４に予め設定された操作者の顔情報とを比較し、顔情報認識部２５によって認識された顔情報の中に操作者の顔情報以外の顔情報があるか否かを判別する（Ｓ２０）。
【００５３】
そして、覗き見検出部２２は、顔情報認識部２５によって認識された顔情報の中に操作者の顔情報以外の顔情報が含まれている場合には、モニタ１０に表示されている放射線検査情報の一部の情報の表示を制限する。具体的には、本実施形態においては、図７に示すように、放射線画像および撮影条件が表示されたウィンドウＷ１についてはそのままの状態での表示を維持し、患者の個人情報が表示されたウィンドウＷ２については、網かけ表示をしてその内容を見え難くして個人情報を保護する（Ｓ２２）。逆にいえば、操作者が診断や放射線の撮影に要する放射線画像および撮影条件が表示されたウィンドウＷ１のみについては、そのままの状態での表示を維持する。
【００５４】
なお、本実施形態においては、上述したようにウィンドウＷ２を網かけ表示することによって個人情報を見え難くしたが、これに限らず、たとえば、モザイクをいれたり、警告メッセージで覆うなどして見え難くしてもよいし、解像度を低くしたり、文字のフォントを小さくしたりして見え難くしてもよい。また、ウィンドウＷ２の中を非表示にしてもよい。また、上述したようなマスキングなどでなく、たとえば、図８に示すように、放射線画像が表示されたウィンドウＷ１を拡大させ、個人情報が表示されたウィンドウＷ２の上を覆うようにして表示させることによって個人情報を隠すようにしてもよい。
【００５５】
そして、上述したような個人情報の保護表示に切り替わった後、操作者によって周りに人がいないことが確認されると、操作者によって装置本体１２のキーボードなどの入力手段を用いて保護解除指示が入力され、その解除指示信号が表示制御部２１に入力される。表示制御部２１は、入力された解除指示信号に応じて、ウィンドウＷ２の個人情報の表示を正常な状態に再び切り替える（Ｓ１６）。なお、上述した保護解除指示の入力については、たとえば、ＩＤカードやパスワード入力や、その他生体認証などの認証作業が行われた場合にのみ行えるようにすることが望ましい。
【００５６】
また、ここでは、上述したように操作者が保護解除指示を入力したが、これに限らず、覗き見検出部２２によって操作者以外の覗き見が検出されなくなったことをトリガーとして自動的に保護を解除するようにしてもよい。このようにすれば、たとえば、本装置の近傍を操作者以外の人物が頻繁にとおり、覗き見検出による表示制限が頻繁に行われたとしても、その都度操作者によって解除指示入力をする必要がなく、操作者の作業を少なくすることができる。
【００５７】
そして、再び、上述したような覗き見検出部２２による覗き見検出が引き続き行われ、その検出に応じて患者の個人情報の表示が切り替えられる。
【００５８】
また、上記実施形態においては、覗き見検出部２２によって操作者以外の観察者による覗き見が検出された際、放射線検査情報のうちの患者の個人情報のみの表示を切り替えるようにしたが、これに限らず、放射線検査情報の全てを見え難くしたり、非表示とするようにしてもよい。
【００５９】
また、上記実施形態においては、監視カメラ１１をモニタ１０の上部に一体的に設けるようにしたが、これに限らず、モニタ１０とは別個に、装置本体１２の周辺などに設けるようにしてもよい。また、監視カメラ１１を動かすことによって撮影範囲を広げるようにしてもよく、たとえば、３６０°回転させるようにしてもよい。
【００６０】
また、上記実施形態においては、モニタ１０に放射線検査情報を表示させるようにしたが、モニタ１０に表示させる表示対象としては放射線検査情報に限らず、たとえば、超音波画像検査情報や心電図情報などの検査情報でもよく、このような検査情報を表示する際にも、覗き見検出されたときには、たとえば患者の個人情報などの非表示検査情報を非表示にしたり、見え難くしたりするようすればよい。
【符号の説明】
【００６１】
１     放射線検査情報表示装置
１０   モニタ
１１   監視カメラ
１２   装置本体
１２   監視カメラ
１２   装置本体
２０   制御部
２１   表示制御部
２２   覗き見検出部
２３   非表示検査情報設定部
２４   特定観察者設定部
２５   顔情報認識部
３０   放射線検査情報保存部
【図１】
2012042716.tif 000003
【図２】
2012042716.tif 000004
【図３】
2012042716.tif 000005
【図４】
2012042716.tif 000006
【図５】
2012042716.tif 000007
【図６】
2012042716.tif 000008
【図７】
2012042716.tif 000009
【図８】
2012042716.tif 000010